(57)【特許請求の範囲】
【請求項１】
通信網における呼処理装置と、Ｃ２Ｄ (Click to Dial) サーバと、Ｗｅｂメールサーバと、インターネット網及び通信網に接続される複数の利用者端末とからなり、電話の着信者側に対して課金を行う着信課金システムであって、
前記Ｗｅｂメールサーバは、
前記着信者側の端末Ａに対してメール作成のための所定の入力用画面を表示し、利用者から、少なくとも該端末Ａと宛先となる発信者側の端末Ｂのメールアドレス及びメール本文を取得して、電子メールを作成する電子メール作成手段と、
前記メールアドレスに基づいて電話帳記憶手段から取得した発信者電話番号と着信者電話番号からなる発着信者電話番号、及び、前記Ｃ２Ｄサーバから取得した該発着信者電話番号に対応するパスコードを、着信課金発着信者削除スケジュール記憶手段及び該Ｃ２Ｄサーバに登録する電話番号登録手段と、
作成した前記電子メールに、前記パスコードを含む該Ｃ２ＤサーバのＵＲＬを付加して発信者側の端末Ｂに送信するメール送信手段と、
所定の条件に基づいて、前記Ｃ２Ｄサーバに前記パスコードを送信することにより、前記発着信者電話番号の削除を要求する発着信者削除要求手段と、
を有し、
前記Ｃ２Ｄサーバは、
パスコードを生成し、前記Ｗｅｂメールサーバに送信するパスコード生成手段と、
前記Ｗｅｂメールサーバから受信した前記パスコード、前記発着信者電話番号を着信課金発着信者記憶手段に格納し、該Ｗｅｂメールサーバから前記パスコードを含む該発着信者電話番号の削除の要求を受信すると、該パスコードに対応する該発着信電話番号を削除する着信課金発着信者制御手段と、
前記発信者の前記端末Ｂから発呼要求として、前記パスコードが含まれる当該Ｃ２ＤサーバのＵＲＬを受信すると、該パスコードに基づいて、前記着信課金発着信者記憶手段を検索し、発着信者電話番号を取得する検索手段と、
前記検索手段で取得した前記発着信者電話番号に基づいて、前記呼処理装置に対して発呼要求を送信する発呼要求手段と、
前記呼処理装置から通話時間情報を受信すると、前記着信者側に対して該通話時間情報に基づく課金処理を行う課金手段と、を有し、
前記呼処理装置は、
前記Ｃ２Ｄサーバから発呼要求があると、前記発着信者電話番号に対して着呼通知を送信し、該発信者と該着信者との通話が終了すると、該Ｃ２Ｄサーバに対して、前記通話時間情報を通知する手段を有する
ことを特徴とするメール利用型着信課金システム。
【請求項２】
通信網における呼処理装置と、Ｃ２Ｄ (Click to Dial) サーバと、Ｗｅｂメールサーバと、インターネット網及び通信網に接続される複数の利用者端末とからなり、電話の着信者側に対して課金を行う着信課金システムであって、
前記Ｗｅｂメールサーバは、
前記着信者側の端末Ａに対してメール作成のための所定の入力用画面を表示し、利用者から、少なくとも、入力された該端末Ａと宛先となる発信者側の端末Ｂのメールアドレス、及びメール本文を取得して、電子メールを作成する電子メール作成手段と、
作成した前記電子メールに、前記Ｃ２Ｄサーバから取得した前記パスコードを含む該Ｃ２ＤサーバのＵＲＬを付加して発信者側の端末Ｂに送信するメール送信手段と、
前記メールアドレスに基づいて電話帳記憶手段から取得した発信者電話番号と着信者電話番号からなる発着信者電話番号、及び、前記Ｃ２Ｄサーバから取得した該発着信者電話番号に対応するパスコードを、着信課金発着信者削除スケジュール記憶手段及び該Ｃ２Ｄサーバに登録する電話番号登録手段と、
を有し、
前記Ｃ２Ｄサーバは、
前記パスコードを生成し、前記Ｗｅｂメールサーバに送信するパスコード生成手段と、
前記Ｗｅｂメールサーバから取得した前記パスコード、前記発着信者電話番号を着信課金発着信者記憶手段に格納する着信課金発着信者制御手段と、
前記発信者の前記端末Ｂから発呼要求として、前記パスコードが含まれる当該Ｃ２ＤサーバのＵＲＬを受信すると、該パスコードに基づいて、前記着信課金発着信者記憶手段を検索し、発信者電話番号と着信者電話番号を取得する検索手段と、
前記検索手段で取得した前記発着信者電話番号に基づいて、前記呼処理装置に対して発呼要求を送信する発呼要求手段と、
前記呼処理装置から通話時間情報を受信すると、前記着信者側に対する該通話時間情報に基づく課金処理を行う課金手段と、を有し、
前記呼処理装置は、
前記Ｃ２Ｄサーバから発呼要求があると、前記発着信者電話番号に対して着呼通知を送信し、該発信者と該着信者との通話が終了すると、該Ｃ２Ｄサーバに対して、前記通話時間情報を通知する手段を有する
ことを特徴とするメール利用型着信課金システム。
【請求項３】
前記Ｗｅｂメールサーバは、
前記発着信者電話番号、前記端末Ａから指定された着信課金の有効期間を前記パスコードに対応付けて前記着信課金発着信者削除スケジュール記憶手段に登録する削除タイミング登録手段と、
前記着信課金発着信者削除スケジュール記憶手段に登録されている前記発着信者電話番号の有効期限が到来した時点で前記Ｃ２Ｄサーバに対して前記パスコードを送信することにより該発着信者電話番号の削除を要求する第１の発着信者削除要求手段と、
を更に有する請求項１または２記載のメール利用型着信課金システム。
【請求項４】
前記Ｗｅｂメールサーバは、
前記発着信者電話番号、前記端末Ａから指定された着信課金の有効回数を前記パスコードに対応付けて前記着信課金発着信者削除スケジュール記憶手段に登録する削除タイミング登録手段と、
前記呼処理装置から通話終了の通知を取得すると、着信課金通話の回数をカウントし、前記着信課金発着信者記憶手段に登録されている前記有効回数と比較して、カウント値が該有効回数を超えた時点で、前記Ｃ２Ｄサーバに対して前記パスコードを送信することにより対応する発着信者電話番号の削除を要求する第２の発着信者削除要求手段と、
を更に有する請求項１または２記載のメール利用型着信課金システム。
【請求項５】
通信網における呼処理装置と、Ｃ２Ｄ (Click to Dial) サーバと、メールサーバと、インターネット網及び通信網に接続される複数のメールクライアントの利用者端末とからなり、電話の着信者側に対して課金を行う着信課金システムであって、
前記メールクライアントの端末Ａは、
着信課金ボタンを押下することにより、前記メールサーバから取得したパスコードと前記Ｃ２Ｄサーバのアドレスをメール本文のリンク中に埋め込んだ電子メールを作成し、着信課金を許可する発信者の端末Ｂ及び該メールサーバに対して送信するメール作成手段と、
を有し、
前記メールサーバは、
前記端末Ａの利用者により着信課金ボタンが押下されると、該端末Ａのメールアドレスに基づいて、サービス利用者のメールアドレス及び電話番号を格納した電話帳記憶手段を検索し、該端末Ａの着信者電話番号を取得し、前記Ｃ２Ｄサーバから該着信者電話番号に対応するパスコードを取得して該端末Ａに送信する検索手段と、
前記端末Ａから取得した前記電子メールの送信先のメールアドレスに基づいて、前記電話帳記憶手段を検索し、発信者電話番号を取得し、前記着信者電話番号及び前記パスコードと共に発着信者登録要求として前記Ｃ２Ｄサーバに送信する発着信者登録手段と、
削除条件に基づいて、前記Ｃ２Ｄサーバに前記パスコードを含む前記発着信者電話番号の削除要求を送信する削除要求手段と、を有し、
前記Ｃ２Ｄサーバは、
前記メールサーバから取得した前記発着信者登録要求を着信課金発着信者記憶手段に格納する手段と、
前記端末Ｂからパスコードを含む前記Ｃ２Ｄサーバのアドレスによる発呼要求を受け付けると、該パスコードに基づいて前記着信課金発着信者記憶手段を検索して、該パスコードに対応する着信者電話番号と発信者電話番号からなる発呼要求を前記呼処理装置に送信する発呼要求手段と、
前記呼処理装置から通話時間情報を受信すると、前記着信側に対する該通話時間情報に基づく課金処理を行う課金手段と、
前記メールサーバからの前記削除要求に基づいて、前記着信課金発着信者記憶手段から対応する電話番号を削除する削除手段と、
を有し、
前記呼処理装置は、
前記Ｃ２Ｄサーバから前記発呼要求があると、前記発着信者電話番号に対して着呼通知を送信し、該発信者と該着信者との通話が終了すると、該Ｃ２Ｄサーバに対して、通話時間情報を通知する手段を有する
ことを特徴とするメール利用型着信課金システム。
【請求項６】
前記メールサーバの前記発着信者登録手段は、
前記発着信者電話番号、前記端末Ａから指定された有効期限を前記パスコードに対応付けて着信課金発着信者削除スケジュール記憶手段に登録する削除スケジュール登録手段と、
前記有効期限が到来すると、前記Ｃ２Ｄサーバに対して、前記パスコードを送信することにより、前記発着信者電話番号を削除する削除要求を送信する第１の削除要求手段と、
を含み、
前記Ｃ２Ｄサーバの前記削除手段は、
前記削除要求を取得すると、前記着信課金発着信者記憶手段から、前記パスコードに対応する前記発着信者電話番号を削除する第１のスケジュール削除手段と、
を有する請求項５記載のメール利用型着信課金システム。
【請求項７】
前記メールサーバの前記発着信者登録手段は、
前記発着信者電話番号、前記端末Ａから指定された有効回数を前記パスコードに対応付けて着信課金発着信者削除スケジュール記憶手段に登録する削除スケジュール登録手段と、
前記呼処理装置から通話終了の通知を取得すると、着信課金通話の回数をカウントするかウント手段と、
カウント値と前記削除スケジュール記憶手段に登録されている前記有効回数とを比較して、該カウント値が該有効回数を超えた時点で、前記Ｃ２Ｄサーバに対して、前記パスコードを送信することにより、前記発着信者電話番号を削除する削除要求を送信する第２１の削除要求手段と、
を含み、
前記Ｃ２Ｄサーバの前記削除手段は、
前記削除要求を取得すると、前記着信課金発着信者記憶手段から、前記パスコードに対応する前記発着信者電話番号を削除する第２のスケジュール削除手段と、
を有する請求項５記載のメール利用型着信課金システム。
【請求項８】
通信網における呼処理装置と、Ｃ２Ｄサーバと、Ｗｅｂメールサーバと、インターネット網及び通信網に接続される複数の利用者端末とからなり、電話の着信者側に対して課金を行う着信課金方法であって、
着信者側端末Ａから前記Ｗｅｂメールサーバにアクセスし、
前記Ｗｅｂメールサーバは、
前記着信者側の端末Ａに対してメール作成のための所定の入力用画面を表示し、利用者から、該端末Ａのメールアドレス、宛先となる発信者側の端末Ｂのメールアドレス、及びメール本文を取得して、電子メールを作成し、
前記Ｃ２Ｄサーバから発信者電話番号と着信者電話番号を対応付けるためのパスコードを取得し、
前記メールアドレスに基づいて電話帳記憶手段から前記端末Ａの着信者電話番号及び前記端末Ｂの発信者電話番号を取得し、前記パスコード、該発信者電話番号と該着信者電話番号からなる発着信者電話番号を前記Ｃ２Ｄサーバに登録し、
作成した前記電子メールに、前記パスコードを含む前記Ｃ２ＤサーバのＵＲＬを付与して発信者側の端末Ｂに送信し、
前記Ｃ２Ｄサーバは、
前記Ｗｅｂメールサーバから受信した前記発着信者電話番号を前記パスコードに対応付けて着信課金発着信者記憶手段に格納し、
前記端末Ｂは、
受信した前記電子メールの前記Ｃ２ＤサーバのＵＲＬをクリックすることにより、該Ｃ２Ｄサーバに対して発呼要求を送信し、
前記Ｃ２Ｄサーバは、
前記発呼要求に含まれる前記パスコードに基づいて前記着信課金発着信者記憶手段を検索し、該パスコードに対応する発着信者電話番号を抽出し、前記呼処理装置に発呼要求を送信し、
前記呼処理装置は、
前記Ｃ２Ｄサーバから前記発呼要求を受信すると、前記発着信者電話番号に対して着呼通知を送信し、該発信者と該着信者との通話が終了すると、該Ｃ２Ｄサーバに対して、通話時間情報を通知し、
前記Ｃ２Ｄサーバは、
前記呼処理装置から前記通話時間情報を受信すると、前記着信者側に対して該通話時間情報に基づいた課金処理を行う
ことを特徴とするメール利用型着信課金方法。
【請求項９】
通信網における呼処理装置と、Ｃ２Ｄサーバと、Ｗｅｂメールサーバと、インターネット網及び通信網に接続される複数の利用者端末とからなり、電話の着信者側に対して課金を行う着信課金方法であって、
着信者側端末Ａから前記Ｗｅｂメールサーバにアクセスし、
前記Ｗｅｂメールサーバは、
前記着信者側の端末Ａに対してメール作成のための所定の入力用画面を表示し、利用者から、少なくとも、該端末Ａのメールアドレス、宛先となる発信者側の端末Ｂのメールアドレス、及びメール本文を取得して、電子メールを作成し、
前記Ｃ２Ｄサーバから発信者電話番号と着信者電話番号を対応付けるためのパスコードを取得し、
作成した前記電子メールに、前記パスコードを含む前記Ｃ２ＤサーバのＵＲＬを付与して発信者側の端末Ｂに送信し、
前記メールアドレスに基づいて、サービス利用者のメールアドレス及び電話番号が格納されている電話帳記憶手段から前記端末Ａの着信者電話番号及び前記端末Ｂの発信者電話番号を取得し、前記パスコード、該発信者電話番号と該着信者電話番号からなる発着信者電話番号を前記Ｃ２Ｄサーバに登録し、
前記Ｃ２Ｄサーバは、
前記Ｗｅｂメールサーバから受信した前記発着信者電話番号を前記パスコードと共に着信課金発着信者記憶手段に格納し、
前記端末Ｂは、
受信した前記電子メールの前記Ｃ２ＤサーバのＵＲＬをクリックすることにより、該Ｃ２Ｄサーバに対して発呼要求を送信し、
前記Ｃ２Ｄサーバは、
前記発呼要求に含まれる前記パスコードに基づいて前記着信課金発着信者記憶手段を検索し、該パスコードに対応する発着信者電話番号を抽出し、前記呼処理装置に発呼要求を送信し、
前記呼処理装置は、
前記Ｃ２Ｄサーバから前記発呼要求を受信すると、前記発着信者電話番号に対して着呼通知を送信し、該発信者と該着信者との通話が終了すると、該Ｃ２Ｄサーバに対して、通話時間情報を通知し、
前記Ｃ２Ｄサーバは、
前記呼処理装置から前記通話時間情報を受信すると、前記着信者側に対して該通話時間情報に基づいた課金処理を行う
ことを特徴とするメール利用型着信課金方法。
【請求項１０】
前記Ｗｅｂメールサーバは、
前記発着信者電話番号、前記端末Ａから指定された有効期間を、前記パスコードに対応付けて着信課金発着信者削除スケジュール記憶手段に登録し、
前記着信課金発着信者削除スケジュール記憶手段に登録されている前記発着信者電話番号の有効期限が到来した時点で、前記Ｃ２Ｄサーバに対して前記パスコードを送信することにより該発着信者電話番号の削除を要求し、
前記Ｃ２Ｄサーバは、
前記Ｗｅｂメールサーバから前記発着信者電話番号の削除の要求を受信すると、前記パスコードに対応する該電話番号を前記着信課金発着信者記憶手段から削除する
請求項８または９記載のメール利用型着信課金方法。
【請求項１１】
前記Ｗｅｂメールサーバは、
前記発着信者電話番号、前記端末Ａから指定された有効回数を、前記パスコードに対応付けて着信課金発着信者削除スケジュール記憶手段に登録し、
前記呼処理装置から通話終了の通知を取得すると、着信課金通話の回数をカウントし、カウント値と前記着信課金発着信者記憶手段に登録されている前記有効回数と比較して、該カウント値が該有効回数を超えた時点で、前記Ｃ２Ｄサーバに対して、前記パスコードを送信することにより発着信者電話番号の削除を要求し、
前記Ｃ２Ｄサーバは、
前記Ｗｅｂメールサーバから前記発着信者電話番号の削除の要求を受信すると、前記パスコードに対応する該電話番号を前記着信課金発着信者記憶手段から削除する
請求項８または９記載のメール利用型着信課金方法。
【請求項１２】
通信網における呼処理装置と、Ｃ２Ｄ (Click to Dial) サーバと、メールサーバと、インターネット網及び通信網に接続される複数のメールクライアントの利用者端末とからなり、電話の着信者側に対して課金を行う着信課金方法であって、
前記メールクライアントの端末Ａは、
着信課金ボタンの押下を契機として前記メールサーバに対してアクセスし、
前記メールサーバは、
前記端末Ａからアクセスされると、該端末Ａのメールアドレスに基づいて、サービス利用者のメールアドレス及び電話番号が格納されている電話帳記憶手段を検索し、該端末Ａのメールアドレスに対応する着信者電話番号を取得し、前記Ｃ２Ｄサーバから取得した該着信者電話番号に対応するパスコードを付与して該端末Ａに送信し、
前記端末Ａは、
予め保持しているＣ２Ｄサーバのアドレスと前記メールサーバから取得したパスコードとをメール本文のリンク中に埋め込んだ電子メールを作成し、着信課金を許可する発信者の端末Ｂ及び前記メールサーバに対して送信し、
前記メールサーバは、
前記端末Ａからの電子メールの送信先のメールアドレスに基づいて、前記電話帳記憶手段を検索して発信者電話番号を取得し、前記着信者電話番号及び前記パスコード、及び当該レコードの削除条件を、着信課金発着信者削除スケジュール記憶手段に登録し、
前記着信者電話番号、前記発信者電話番号を前記パスコードと共に発着信者登録要求として前記Ｃ２Ｄサーバに送信し、
前記Ｃ２Ｄサーバは、
前記メールサーバから取得した前記発着信者登録要求を着信課金発着信者記憶手段に格納し、
前記端末Ｂからパスコードを含む前記Ｃ２Ｄサーバのアドレスによる発呼要求を受け付けると、該パスコードに基づいて前記着信課金発着信者記憶手段を検索して、該パスコードに対応する着信者電話番号と発信者電話番号からなる発呼要求を前記呼処理装置に送信し、
前記呼処理装置は、
前記Ｃ２Ｄサーバから発呼要求があると、前記発着信者電話番号に対して着呼通知を送信し、該発信者と該着信者との通話が終了すると、該Ｃ２Ｄサーバに対して、通話時間情報を通知し、
前記Ｃ２Ｄサーバは、
前記呼処理装置から前記通話時間情報を取得し、前記着信者電話番号に対する課金処理を行う、
ことを特徴とする着信課金方法。
【請求項１３】
前記メールサーバは、
前記発着信者電話番号と前記端末Ａから指定された有効期間を前記パスコードに対応付けて着信課金発着信者削除スケジュール記憶手段に登録し、
前記着信課金発着信者削除スケジュール記憶手段に登録されている前記有効期限が到来した時点で、前記Ｃ２Ｄサーバに対して前記パスコードを送信することにより該発着信者電話番号の削除を要求し、
前記Ｃ２Ｄサーバは、
前記メールサーバから前記発着信者電話番号の削除の要求を受信すると、前記パスコードに基づいて、前記着信課金発着信者記憶手段から前記発着信者電話番号を削除する
請求項１２記載のメール利用型着信課金方法。
【請求項１４】
前記メールサーバは、
前記発着信者電話番号と前記端末Ａから指定された有効回数を前記パスコードに対応付けて着信課金発着信削除スケジュール記憶手段に登録し、
前記呼処理装置から通話終了の通知を取得すると、着信課金通話の回数をカウントし、前記着信課金発着信者削除スケジュール記憶手段に登録されている前記有効回数と比較して、カウント値が該有効回数を超えた時点で、前記Ｃ２Ｄサーバに対して、前記パスコードを送信することにより該発着信者電話番号の削除を要求し、
前記Ｃ２Ｄサーバは、
前記メールサーバから前記発着信者電話番号の削除の要求を受信すると、前記パスコードに基づいて、前記着信課金発着信者記憶手段から前記発着信者電話番号を削除する
請求項１２記載のメール利用型着信課金方法。
【発明の詳細な説明】
【技術分野】
【０００１】
本発明は、メール利用型着信課金システム及び方法に係り、特に、受信したメールに記載されているＣ２Ｄ(Click to Dial)サーバのＵＲＬにパスコードが埋め込まれたリンクがクリックされると特定の電話番号との通話を可能にするＣ２Ｄ(Click to Dial)サーバを介在させて呼全体に対して着信利用者側に課金するためのメール利用型着信課金システム及び方法に関する。
【背景技術】
【０００２】
従来の第１の電話サービスにおける着信課金サービスとして、以下のようなケースに対するサービスが提供されている（例えば、非特許文献１参照）。
（ａ）発信利用者が呼設定時に着信課金を要求し、着信側の利用者は着信課金の諾否を選択する。
（ｂ）着信課金の要求機能を有する発信利用者または着信利用者が呼の通信中フェーズでその呼の残り部分に対して着信課金を要求する。
（ｃ）着信利用者が呼の通信中フェーズでその呼全体に対して着信課金を要求する。
（ｄ）発信者からの着信課金要求を必要とせず、無条件に着信課金を行う。
【０００３】
また、第２の着信課金サービスとして、予め着信者が登録した発信者番号からの着信のみを着信課金する方法がある（例えば、特許文献１参照）。
【特許文献１】特開２００１−３０９０８８号公報
【非特許文献１】ＴＴＣ標準（ＪＴ−１２５６第３版）
【発明の開示】
【発明が解決しようとする課題】
【０００４】
しかしながら、上記第１の着信課金の方法では、通話前に着信者が特定の発信者からのみ着信課金を許可する場合については規定がない。
【０００５】
また、上記第２の着信課金の方法では、着信者が予め発信者番号を登録して着信課金を指定できるが、登録の際に着信者が個々に電話番号を指定する必要があり、特に頻繁に通話する相手である場合は問題ないが、そうでない通信相手について着信課金を許可するための登録、及び、非許可とする場合の削除操作を行うことは困難である。
【０００６】
本発明は、上記の点に鑑みなされたもので、Ｃ２Ｄ方式における、発信前に発信者番号の登録処理をより簡単にすることが可能なメール利用型着信課金システム及び方法を提供することを目的とする。
【課題を解決するための手段】
【０００７】
図１は、本発明の原理構成図である。
【０００８】
本発明（請求項１）は、通信網における呼処理装置３００と、Ｃ２Ｄサーバ２００と、Ｗｅｂメールサーバ１００と、インターネット網及び通信網に接続される複数の利用者端末とからなり、電話の着信者側に対して課金を行う着信課金システムであって、
Ｗｅｂメールサーバ１００は、
着信者側の端末Ａに対してメール作成のための所定の入力用画面を表示し、利用者から、少なくとも該端末Ａと宛先となる発信者側の端末Ｂのメールアドレス及びメール本文を取得して、電子メールを作成する電子メール作成手段と１２２、
メールアドレスに基づいて電話帳記憶手段１６０から取得した発信者電話番号と着信者電話番号からなる発着信者電話番号、及び、C2Dサーバ２００から取得した該発着信者電話番号に対応するパスコードを着信課金発着信者削除スケジュール記憶手段１５０及び該C2Dサーバに登録する電話番号登録手段１３１と、
作成した電子メールに、パスコードを含む該Ｃ２ＤサーバのＵＲＬを付加して発信者側の端末Ｂに送信するメール送信手段１２４と、
所定の条件に基づいて、C2Dサーバ２００にパスコードを送信することにより、発着信者電話番号の削除を要求する発着信者削除要求手段１３２と、
を有し、
Ｃ２Ｄサーバ２００は、
パスコードを生成し、Ｗｅｂメールサー１００バに送信するパスコード生成手段２５０と、
Ｗｅｂメールサーバ１００から受信したパスコード、発着信者電話番号を着信課金発着信者記憶手段２６０に格納し、該Ｗｅｂメールサーバ１００からパスコードを含む該発着信者電話番号の削除の要求を受信すると、該パスコードに対応する該発着信電話番号を削除する着信課金発着信者制御手段２２０と、
発信者の端末Ｂから発呼要求として、パスコードが含まれる当該Ｃ２Ｄサーバ２００のＵＲＬを受信すると、該パスコードに基づいて、着信課金発着信者記憶手段２６０を検索し、発着信者電話番号を取得する検索手段２３０と、
検索手段２３０で取得した発着信者電話番号に基づいて、呼処理装置３００に対して発呼要求を送信する発呼要求手段２１０と、
呼処理装置３００から通話時間情報を受信すると、着信者側に対して該通話時間情報に基づく課金処理を行う課金手段２４０と、を有し、
呼処理装置３００は、
Ｃ２Ｄサーバ２００から発呼要求があると、発着信者電話番号に対して着呼通知を送信し、該発信者と該着信者との通話が終了すると、該Ｃ２Ｄサーバ２００に対して、通話時間情報を通知する手段を有する。
【０００９】
本発明（請求項２）は、通信網における呼処理装置と、Ｃ２Ｄサーバと、Ｗｅｂメールサーバと、インターネット網及び通信網に接続される複数の利用者端末とからなり、電話の着信者側に対して課金を行う着信課金システムであって、
Ｗｅｂメールサーバは、
着信者側の端末Ａに対してメール作成のための所定の入力用画面を表示し、利用者から、少なくとも、入力された該端末Ａと宛先となる発信者側の端末Ｂのメールアドレス、及びメール本文を取得して、電子メールを作成する電子メール作成手段と、
作成した電子メールに、Ｃ２Ｄサーバから取得したパスコードを含む該Ｃ２ＤサーバのＵＲＬを付加して発信者側の端末Ｂに送信するメール送信手段と、
メールアドレスに基づいて電話帳記憶手段から取得した発信者電話番号と着信者電話番号からなる発着信者電話番号、及び、Ｃ２Ｄサーバから取得した該発着信者電話番号に対応するパスコードを、着信課金発着信者削除スケジュール記憶手段及び該Ｃ２Ｄサーバに登録する電話番号登録手段と、
を有し、
Ｃ２Ｄサーバは、
パスコードを生成し、Ｗｅｂメールサーバに送信するパスコード生成手段と、
Ｗｅｂメールサーバから取得したパスコード、発着信者電話番号を着信課金発着信者記憶手段に格納する着信課金発着信者制御手段と、
発信者の端末Ｂから発呼要求として、パスコードが含まれる当該Ｃ２ＤサーバのＵＲＬを受信すると、該パスコードに基づいて、着信課金発着信者記憶手段を検索し、発信者電話番号と着信者電話番号を取得する検索手段と、
検索手段で取得した発着信者電話番号に基づいて、呼処理装置に対して発呼要求を送信する発呼要求手段と、
呼処理装置から通話時間情報を受信すると、着信者側に対する該通話時間情報に基づく課金処理を行う課金手段と、を有し、
呼処理装置は、
Ｃ２Ｄサーバから発呼要求があると、発着信者電話番号に対して着呼通知を送信し、該発信者と該着信者との通話が終了すると、該Ｃ２Ｄサーバに対して、通話時間情報を通知する手段を有する。
【００１０】
また、本発明（請求項３）は、請求項１，２のシステムの、Ｗｅｂメールサーバにおいて、
発着信者電話番号、端末Ａから指定された着信課金の有効期間をパスコードに対応付けて着信課金発着信者削除スケジュール記憶手段に登録する削除タイミング登録手段と、
着信課金発着信者削除スケジュール記憶手段に登録されている発着信者電話番号の有効期限が到来した時点でＣ２Ｄサーバに対してパスコードを送信することにより該発着信者電話番号の削除を要求する第１の発着信者削除要求手段と、を更に有する。
【００１１】
また、本発明（請求項４）は、請求項１，２のシステムのＷｅｂメールサーバにおいて、
発着信者電話番号、端末Ａから指定された着信課金の有効回数をパスコードに対応付けて着信課金発着信者削除スケジュール記憶手段に登録する削除タイミング登録手段と、
呼処理装置から通話終了の通知を取得すると、着信課金通話の回数をカウントし、着信課金発着信者記憶手段に登録されている有効回数と比較して、カウント値が該有効回数を超えた時点で、Ｃ２Ｄサーバに対してパスコードを送信することにより対応する発着信者電話番号の削除を要求する第２の発着信者削除要求手段と、を更に有する。
【００１２】
本発明（請求項５）は、通信網における呼処理装置と、Ｃ２Ｄサーバと、メールサーバと、インターネット網及び通信網に接続される複数のメールクライアントの利用者端末とからなり、電話の着信者側に対して課金を行う着信課金システムであって、
メールクライアントの端末Ａは、
着信課金ボタンを押下することにより、メールサーバから取得したパスコードとC2Dサーバのアドレスをメール本文のリンク中に埋め込んだ電子メールを作成し、着信課金を許可する発信者の端末Ｂ及び該メールサーバに対して送信するメール作成手段と、
を有し、
メールサーバは、
端末Ａの利用者により着信課金ボタンが押下されると、該端末Ａのメールアドレスに基づいて、サービス利用者のメールアドレス及び電話番号を格納した電話帳記憶手段を検索し、該端末Ａの着信者電話番号を取得し、C2Dサーバから該着信者電話番号に対応するパスコードを取得して該端末Ａに送信する検索手段と、
端末Ａから取得した電子メールの送信先のメールアドレスに基づいて、電話帳記憶手段を検索し、発信者電話番号を取得し、着信者電話番号及びパスコードと共に発着信者登録要求としてC2Dサーバに送信する発着信者登録手段と、
削除条件に基づいて、C2Dサーバにパスコードを含む発着信者電話番号の削除要求を送信する削除要求手段と、を有し、
C2Dサーバは、
メールサーバから取得した発着信者登録要求を着信課金発着信者記憶手段に格納する手段と、
端末Ｂからパスコードを含むC2Dサーバのアドレスによる発呼要求を受け付けると、該パスコードに基づいて着信課金発着信者記憶手段を検索して、該パスコードに対応する着信者電話番号と発信者電話番号からなる発呼要求を呼処理装置に送信する発呼要求手段と、
呼処理装置から通話時間情報を受信すると、着信側に対する該通話時間情報に基づく課金処理を行う課金手段と、
メールサーバからの削除要求に基づいて、着信課金発着信者記憶手段から対応する電話番号を削除する削除手段と、
を有し、
呼処理装置は、
Ｃ２Ｄサーバから発呼要求があると、発着信者電話番号に対して着呼通知を送信し、該発信者と該着信者との通話が終了すると、該Ｃ２Ｄサーバに対して、通話時間情報を通知する手段を有する。
【００１３】
また、本発明（請求項６）は、請求項５のシステムのメールサーバの発着信者登録手段において、
発着信者電話番号、端末Ａから指定された有効期限をパスコードに対応付けて着信課金発着信者削除スケジュール記憶手段に登録する削除スケジュール登録手段と、
有効期限が到来すると、C2Dサーバに対して、パスコードを送信することにより、発着信者電話番号を削除する削除要求を送信する第１の削除要求手段と、
を含み、
C2Dサーバの削除手段は、
削除要求を取得すると、着信課金発着信者記憶手段から、パスコードに対応する発着信者電話番号を削除する第１のスケジュール削除手段と、を有する。
【００１４】
また、本発明（請求項７）は、請求項５のシステムのメールサーバの発着信者登録手段において、
発着信者電話番号、端末Ａから指定された有効回数をパスコードに対応付けて着信課金発着信者削除スケジュール記憶手段に登録する削除スケジュール登録手段と、
呼処理装置から通話終了の通知を取得すると、着信課金通話の回数をカウントするかウント手段と、
カウント値と削除スケジュール記憶手段に登録されている有効回数とを比較して、該カウント値が該有効回数を超えた時点で、C2Dサーバに対して、パスコードを送信することにより、発着信者電話番号を削除する削除要求を送信する第２１の削除要求手段と、
を含み、
C2Dサーバの削除手段は、
削除要求を取得すると、着信課金発着信者記憶手段から、パスコードに対応する発着信者電話番号を削除する第２のスケジュール削除手段と、を有する。
【００１５】
図２は、本発明の原理を説明するための図である。
【００１６】
本発明（請求項８）は、通信網における呼処理装置と、Ｃ２Ｄサーバと、Ｗｅｂメールサーバと、インターネット網及び通信網に接続される複数の利用者端末とからなり、電話の着信者側に対して課金を行う着信課金方法であって、
着信者側端末ＡからＷｅｂメールサーバにアクセスし（ステップ１）、
Ｗｅｂメールサーバは、
着信者側の端末Ａに対してメール作成のための所定の入力用画面を表示し、利用者から、該端末Ａのメールアドレス、宛先となる発信者側の端末Ｂのメールアドレス、及びメール本文を取得して、電子メールを作成し（ステップ２）、
Ｃ２Ｄサーバから発信者電話番号と着信者電話番号を対応付けるためのパスコードを取得し（ステップ３）、
メールアドレスに基づいて電話帳記憶手段から端末Ａの着信者電話番号及び端末Ｂの発信者電話番号を取得し、パスコード、該発信者電話番号と該着信者電話番号からなる発着信者電話番号を、着信課金発着信者削除スケジュール記憶手段及びＣ２Ｄサーバに登録し（ステップ４）、
作成した電子メールに、パスコードを含むＣ２ＤサーバのＵＲＬを付与して発信者側の端末Ｂに送信し（ステップ５）、
Ｃ２Ｄサーバは、
Ｗｅｂメールサーバから受信した発着信者電話番号をパスコードに対応付けて着信課金発着信者記憶手段に格納し（ステップ６）、
端末Ｂは、
受信した電子メールのＣ２ＤサーバのＵＲＬをクリックすることにより、該Ｃ２Ｄサーバに対して発呼要求を送信し（ステップ７）、
Ｃ２Ｄサーバは、
発呼要求に含まれるパスコードに基づいて着信課金発着信者記憶手段を検索し（ステップ８）、該パスコードに対応する発着信者電話番号を抽出し、呼処理装置に発呼要求を送信し（ステップ９）、
呼処理装置は、
Ｃ２Ｄサーバから発呼要求を受信すると、発着信者電話番号に対して着呼通知を送信し（ステップ１０）、該発信者と該着信者との通話が終了すると、該Ｃ２Ｄサーバに対して、通話時間情報を通知し（ステップ１１）、
Ｃ２Ｄサーバは、
呼処理装置から通話時間情報を受信すると、着信者側に対して該通話時間情報に基づいた課金処理を行う（ステップ１２）。
【００１７】
本発明（請求項９）は、通信網における呼処理装置と、Ｃ２Ｄサーバと、Ｗｅｂメールサーバと、インターネット網及び通信網に接続される複数の利用者端末とからなり、電話の着信者側に対して課金を行う着信課金方法であって、
着信者側端末ＡからＷｅｂメールサーバにアクセスし、
Ｗｅｂメールサーバは、
着信者側の端末Ａに対してメール作成のための所定の入力用画面を表示し、利用者から、少なくとも、該端末Ａのメールアドレス、宛先となる発信者側の端末Ｂのメールアドレス、及びメール本文を取得して、電子メールを作成し、
Ｃ２Ｄサーバから発信者電話番号と着信者電話番号を対応付けるためのパスコードを取得し、
作成した電子メールに、パスコードを含むＣ２ＤサーバのＵＲＬを付与して発信者側の端末Ｂに送信し、
メールアドレスに基づいて、サービス利用者のメールアドレス及び電話番号が格納されている電話帳記憶手段から端末Ａの着信者電話番号及び端末Ｂの発信者電話番号を取得し、パスコード、該発信者電話番号と該着信者電話番号からなる発着信者電話番号をＣ２Ｄサーバに登録し、
Ｃ２Ｄサーバは、
Ｗｅｂメールサーバから受信した発着信者電話番号をパスコードと共に着信課金発着信者記憶手段に格納し、
端末Ｂは、
受信した電子メールのＣ２ＤサーバのＵＲＬをクリックすることにより、該Ｃ２Ｄサーバに対して発呼要求を送信し、
Ｃ２Ｄサーバは、
発呼要求に含まれるパスコードに基づいて着信課金発着信者記憶手段を検索し、該パスコードに対応する発着信者電話番号を抽出し、呼処理装置に発呼要求を送信し、
呼処理装置は、
Ｃ２Ｄサーバから発呼要求を受信すると、発着信者電話番号に対して着呼通知を送信し、該発信者と該着信者との通話が終了すると、該Ｃ２Ｄサーバに対して、通話時間情報を通知し、
Ｃ２Ｄサーバは、
呼処理装置から通話時間情報を受信すると、着信者側に対して該通話時間情報に基づいた課金処理を行う。
【００１８】
また、本発明（請求項１０）は、請求項８，９において、
Ｗｅｂメールサーバは、
発着信者電話番号と端末Ａから指定された着信課金の有効期間を、パスコードに対応付けて着信課金発着信者削除スケジュール記憶手段に登録し、
着信課金発着信者削除スケジュール記憶手段に登録されている発着信者電話番号の有効期限が到来した時点で、Ｃ２Ｄサーバに対してパスコードを送信することにより該発着信者電話番号の削除を要求し、
Ｃ２Ｄサーバは、
Ｗｅｂメールサーバから発着信者電話番号の削除の要求を受信すると、パスコードに対応する該電話番号を着信課金発着信者記憶手段から削除する。
【００１９】
また、本発明（請求項１１）は、請求項８，９において、
Ｗｅｂメールサーバは、
発着信者電話番号、端末Ａから指定された着信課金の有効回数を、パスコードに対応付けて着信課金発着信者削除スケジュール記憶手段に登録し、
呼処理装置から通話終了の通知を取得すると、着信課金通話の回数をカウントし、カウント値と着信課金発着信者記憶手段に登録されている有効回数と比較して、該カウント値が該有効回数を超えた時点で、C2Dサーバに対して、パスコードを送信することにより発着信者電話番号の削除を要求し、
Ｃ２Ｄサーバは、
Ｗｅｂメールサーバから発着信者電話番号の削除の要求を受信すると、パスコードに対応する該電話番号を着信課金発着信者記憶手段から削除する。
【００２０】
本発明（請求項１２）は、通信網における呼処理装置と、Ｃ２Ｄサーバと、メールサーバと、インターネット網及び通信網に接続される複数のメールクライアントの利用者端末とからなり、電話の着信者側に対して課金を行う着信課金方法であって、
メールクライアントの端末Ａは、
着信課金ボタンの押下を契機としてメールサーバに対してアクセスし、
メールサーバは、
端末Ａからアクセスされると、該端末Ａのメールアドレスに基づいて、サービス利用者のメールアドレス及び電話番号が格納されている電話帳記憶手段を検索し、該端末Ａのメールアドレスに対応する着信者電話番号を取得し、C2Dサーバから取得した該着信者電話番号に対応するパスコードを付与して該端末Ａに送信し、
端末Ａは、
予め保持しているC2Dサーバのアドレスとメールサーバから取得したパスコードとをメール本文のリンク中に埋め込んだ電子メールを作成し、着信課金を許可する発信者の端末Ｂ及びメールサーバに対して送信し、
メールサーバは、
端末Ａからの電子メールの送信先のメールアドレスに基づいて、電話帳記憶手段を検索して発信者電話番号を取得し、着信者電話番号及びパスコード、及び当該レコードの削除条件を、着信課金発着信者削除スケジュール記憶手段に登録し、
着信者電話番号、発信者電話番号をパスコードと共に発着信者登録要求としてC2Dサーバに送信し、
C2Dサーバは、
メールサーバから取得した発着信者登録要求を着信課金発着信者記憶手段に格納し、
端末Ｂからパスコードを含むC2Dサーバのアドレスによる発呼要求を受け付けると、該パスコードに基づいて着信課金発着信者記憶手段を検索して、該パスコードに対応する着信者電話番号と発信者電話番号からなる発呼要求を呼処理装置に送信し、
呼処理装置は、
Ｃ２Ｄサーバから発呼要求があると、発着信者電話番号に対して着呼通知を送信し、該発信者と該着信者との通話が終了すると、該Ｃ２Ｄサーバに対して、通話時間情報を通知し、
C2Dサーバは、
呼処理装置から通話時間情報を取得し、着信者電話番号に対する課金処理を行う。
【００２１】
また、本発明（請求項１３）は、請求項１２において、
メールサーバは、
発着信者電話番号と端末Ａから指定された着信課金の有効期間をパスコードに対応付けて着信課金発着信者削除スケジュール記憶手段に登録し、
着信課金発着信者削除スケジュール記憶手段に登録されている有効期限が到来した時点で、Ｃ２Ｄサーバに対してパスコードを送信することにより該発着信者電話番号の削除を要求し、
Ｃ２Ｄサーバは、
メールサーバから発着信者電話番号の削除の要求を受信すると、パスコードに基づいて、着信課金発着信者記憶手段から発着信者電話番号を削除する。
【００２２】
また、本発明（請求項１４）は、請求項１２において、
メールサーバは、
発着信者電話番号と端末Ａから指定された着信課金の有効回数をパスコードに対応付けて着信課金発着信削除スケジュール記憶手段に登録し、
呼処理装置から通話終了の通知を取得すると、着信課金通話の回数をカウントし、着信課金発着信者削除スケジュール記憶手段に登録されている有効回数と比較して、カウント値が該有効回数を超えた時点で、C2Dサーバに対して、パスコードを送信することにより該発着信者電話番号の削除を要求し、
Ｃ２Ｄサーバは、
メールサーバから発着信者電話番号の削除の要求を受信すると、パスコードに基づいて、着信課金発着信者記憶手段から発着信者電話番号を削除する。
【発明の効果】
【００２３】
上記のように本発明によれば、予め着信者となる利用者Ａから着信課金を許可する相手の連絡先等の情報を、Ｗｅｂメールサーバに送信し、Ｗｅｂメールサーバにおいて、該情報に基づいてメールを作成し、Ｃ２Ｄサーバからパスコードを取得し、そのパスコードに発信者電話番号、着信者電話番号を対応付けてＣ２Ｄサーバに登録しておくことにより、Ｃ２Ｄサーバでは、発信者側から発呼要求を受信すると該パスコードに基づいて発信者電話番号と着信者電話番号が登録されているかを判断し、登録されている場合のみ呼処理装置に対して発呼要求を送信することができ、不正アクセスを防止できる。
【００２４】
また、着信者からのメールが発信者となる利用者Ｂに届くことにより、利用者Ｂは着信課金の通話ができることが明確にわかるため、発信者である利用者Ｂは通話時間が長引いても通話料金を意識することがなくなる。
【００２５】
また、メールのメール本文から通話前に発信者にも着信者の用件が認識できるため、電話をかけるタイミングを調整することができる。
【００２６】
さらに、利用者Ａは利用者Ｂのメールアドレスは知っているものの、電話番号を知らないような場合でも、メールアドレスを選択する操作を行うのみで相手から電話をもらい易くなる。
【発明を実施するための最良の形態】
【００２７】
以下、図面と共に本発明の実施の形態を説明する。
【００２８】
［第１の実施の形態］
図３は、本発明の第１の実施の形態における動作の概要を説明するための図である。
【００２９】
以下では、通信網を介して着信者となる利用者を利用者Ａ、発信者となる利用者を利用者Ｂとして説明する。
【００３０】
（１）Ｗｅｂメールサーバは、入力用の画面を着信者の利用者Ａのパーソナルコンピュータ（以下、ＰＣと記す）に表示させ、利用者ＡがＰＣから入力した相手のメールアドレス、連絡先電話番号、用件、着信課金の有効期限、端末のメールアドレス等を取得する。
【００３１】
（２）Ｗｅｂメールサーバにおいて、利用者Ａから取得した情報に基づいてメールを作成し、利用者Ｂの電話番号、利用者Ａの電話番号、及び着信課金の有効期限を当該サーバ内の記憶手段に格納すると共に、Ｃ２Ｄサーバから取得したパスコード、着信電話番号Ａ（利用者Ｂの電話番号）と発信電話番号Ｂ（利用者Ｂの電話番号）の組（発着信者電話番号）をＣ２Ｄサーバに対して登録する。
【００３２】
（３）Ｗｅｂメールサーバにおいて、作成した電子メールにパスコードを付与して利用者Ｂの端末Ｂに送信する。
【００３３】
（４）利用者Ｂの端末が電子メールを受信すると、利用者Ｂはメール本文で利用者Ａの用件を確認し、発呼要求のために、メール中に記載されたＣ２Ｄサーバのアドレスとパスコードを含むＵＲＬをクリックすることによりアクセスする。
【００３４】
（５）Ｃ２Ｄサーバは、アクセス時に利用者Ｂから取得したパスコードに基づいて着信者電話番号と発信者電話番号を取得して呼処理装置に対して端末Ｂから端末Ａへの発呼を要求する。
【００３５】
（６）呼処理装置は、端末Ａに対して着呼通知を行い、成功すると電話番号Ｂを持つ端末Ｂに着呼通知を送信する。
【００３６】
（７）これにより、利用者Ｂと利用者Ａとの間で呼接続され通話が開始される。
【００３７】
（８）電話による通話が終了する。
【００３８】
（９）通話が切断されると、呼処理装置からＣ２Ｄサーバに対して課金情報を送信し、Ｃ２Ｄサーバでは、着信者である利用者Ａに対する課金処理を行う。
【００３９】
（１０）Ｗｅｂメールサーバは有効期限が到来すると、Ｃ２Ｄサーバに対して、登録されている発信者電話番号と着信電話番号を削除する要求を発行し、これによりＣ２Ｄサーバは当該発着信者電話番号を削除する。なお、本実施の形態では、ＰＣと電話機を用いる場合を記載しているが、Ｗｅｂブラウザ機能及び電話機能を有する携帯電話機などの端末を用いてもよい。
【００４０】
図４は、本発明の第１の実施の形態におけるシステム構成図である。
【００４１】
同図に示すシステムは、Ｗｅｂメールサーバ１００、Ｃ２Ｄサーバ２００、通信網を介した電話の通話の制御を行う呼処理装置３００、着信者利用者Ａの端末Ａ１０、発信者利用者Ｂの端末Ｂ２０から構成される。
【００４２】
Ｗｅｂメールサーバ１００は、端末Ａ１０に対して入力用の画面を表示し、端末Ａから入力された情報を受け付け、メールを作成し、宛先に対して当該メールを送信するサーバである。また、端末Ａ１０から取得した宛先の情報及びＣ２Ｄサーバ２００に対して着信課金すべき利用者の情報を抽出し、自サーバ内及びＣ２Ｄサーバ２００に登録し、利用者によって設定された有効期限が到来したら、Ｃ２Ｄサーバ２００に登録した情報の削除要求を行う。
【００４３】
Ｗｅｂメールサーバ１００は、図５に示すように、送受信インタフェース（Ｉ／Ｆ）１１０、メール作成・制御部１２０、登録・削除部１３０、利用者ＤＢ１４０、着信課金発着信者削除スケジュール記憶部１５０、サービス利用者電話帳ＤＢ１６０から構成される。
【００４４】
利用者ＤＢ１４０は、利用者がログインする際に、認証するための情報として、図６に示すように、着信課金用番号、表示名、電話番号、メールアドレス、ログインパスワード等を格納し、メールアドレスにより利用者を一意に特定するために利用される。
【００４５】
着信課金発着信者削除スケジュール記憶部１５０は、図７に示すように発信者電話番号、着信者電話番号、パスコード及び後述するＣ２Ｄサーバ２００内の着信課金発着信者ＤＢ２６０のレコードを削除するタイミング（有効期間）を保持する。
【００４６】
利用者電話帳ＤＢ１６０は、図８に示すように、利用者毎に利用者がメールを送信する相手のメールアドレスと電話番号とが対応付けられて保持され、メール作成・制御部１２０から読み出される。なお、図８では、メールアドレスと電話番号の両方が保持されているが、着信側の利用者が発信者の電話番号を知らない場合は、メールアドレスのみが登録される。また、メールの受信者も本サービスの利用者である場合には電話番号は省略可能とし、この場合は、メールアドレスをキーとして利用者ＤＢ１４０を検索することにより相手が登録した電話番号を取得して利用することが可能であり、また、当該利用者の端末上では検索した電話番号を非公開とすることも可能である。
【００４７】
メール作成・制御部１２０は、端末Ａ１０からログインを受け付けると利用者ＤＢ１４０のログインパスワードと照合を行う。照合できた場合には、端末Ａ１０に対してメールを作成するための入力用の画面を送信し、当該端末Ａ１０から入力された情報に基づいてメールを作成する。このとき、サービス利用者電話帳ＤＢ１６０から当該利用者が予め登録しておいた電話帳リストを取得して送受信Ｉ／Ｆ１１０を介して端末Ａ１０に送信する。また、端末Ａ１０のメールアドレスに基づいてサービス利用者電話帳ＤＢ１６０から取得した着信者電話番号をＣ２Ｄサーバ２００に送信することにより、当該Ｃ２Ｄサーバ２００で生成されたパスコードを取得する。作成した電子メールに、パスコードを含むＣ２Ｄサーバ２００のアドレス（ＵＲＬ）を付与して送受信Ｉ／Ｆ１１０を介して、指定されている宛先の端末Ｂ２０のメールアドレスに送信する。
【００４８】
登録・削除部１３０は、Ｃ２Ｄサーバ２００から取得したパスコードと、端末Ａの着信者電話番号、端末Ｂの発信者電話番号をＣ２Ｄサーバ２００内の着信課金発着信者登録ＤＢ２６０に登録する。また、宛先の端末Ｂ２０の電話番号を削除するための有効期限を取得し、パスコード、着信者電話番号、発信者電話番号を着信課金発着信者削除スケジュール記憶部１５０に格納する。また、登録・削除部１３０は、着信課金発着信者削除スケジュール記憶部１５０に登録されている有効期限が到来すると、Ｃ２Ｄサーバ２００内の着信課金発着信者登録ＤＢ２６０から発信先となっている端末Ｂ２０の発信者電話番号及び着信者電話番号を削除する要求を送信する。
【００４９】
図９は、本発明の第１の実施の形態におけるＣ２Ｄサーバの構成を示す。
【００５０】
同図に示すＣ２Ｄサーバ２００は、端末Ｂ２０からの発呼要求に基づいて、呼処理装置３００に対して発呼要求を行うと共に、発信者から発呼された通話を着信者に課金する機能を有するサーバであり、Ｗｅｂメールサーバ１００及び呼処理装置３００との送受信を行うインタフェース（Ｉ／Ｆ）２１０、登録・削除部２２０、検索部２３０、課金部２４０、パスコード生成部２５０、着信課金発着信登録ＤＢ２６０、課金ＤＢ２７０から構成される。
【００５１】
着信課金発着信者登録ＤＢ２６０は、図１０に示すように、Ｗｅｂメールサーバ１００から登録されたパスコード、発信者電話番号、着信課金用番号の組が格納されている。
【００５２】
課金ＤＢ２７０は、図１１に示すように、発信者電話番号、着信者電話番号、通話開始時刻、通話終了時刻、通話時間が格納され、呼処理装置３００から通知された本サービスを利用した通話の開始時刻と終了時刻を記録し、課金部２４０によって利用者に請求する料金を計算する際に利用される。
【００５３】
登録・削除部２２０は、Ｉ／Ｆ２１０を介してＷｅｂメールサーバ１００から、パスコード、着信者電話番号、発信者電話番号の組を取得すると、着信課金発着信者登録ＤＢ２６０に登録する。また同様にして、Ｗｅｂメールサーバ１００から有効期限が到来したために発信者電話番号の削除要求としてパスコードを取得すると、当該パスコードに対応する電話番号を着信課金発着信者登録ＤＢ２６０から削除する。また、呼処理装置３００から通話の開始及び通話の終了を通知する通話時間情報通知を取得すると、発信者番号に対応する通話開始時刻または通話終了時刻を課金ＤＢ２７０に設定する。
【００５４】
検索部２３０は、Ｉ／Ｆ２１０を介して受信した端末Ｂ２０からの発呼要求に含まれるパスコードに基づいて、着信課金発着信登録ＤＢ２６０を検索し、着信者電話番号及び発信者電話番号を取得する。
【００５５】
パスコード生成部２５０は、Ｗｅｂメールサーバ１００から送信された着信者電話番号に対応するパスコードを生成し、Ｉ／Ｆ２１０を介してＷｅｂメールサーバ１００に渡すと共に、着信者電話番号と共にメモリ（図示せず）に格納する。
【００５６】
課金部２４０は、任意のタイミングで課金ＤＢ２７０を参照し、発信者電話番号毎の通話開始時刻から通話終了時刻までの通話時間を計算し、課金ＤＢ２７０に設定し、着信電話番号に対する課金処理を行う。
【００５７】
図１２は、本発明の第１の実施の形態における動作のシーケンスチャートである。
【００５８】
以下では、端末Ａ１０の利用者Ａを電話の着信者、端末Ｂ２０の利用者Ｂを電話の発信者として説明する。なお、着信者及び発信者はメールの着信者・発信者ではない点に注意されたい。
【００５９】
まず、利用者Ａが、端末Ａ１０から本サービスを受けるためのＷｅｂサイトにアクセスすると、Ｗｅｂメールサーバ１００には、端末Ａ１０から当該端末Ａのメールアドレスとパスワードが送受信Ｉ／Ｆ１１０を介して入力される。Ｗｅｂメールサーバ１００は、メール作成・制御部１２０において、取得した端末Ａのメールアドレスとパスワードに基づいて利用者ＤＢ１４０の内容と照合することにより、利用者Ａを識別・認証する（ステップ１０１）。
【００６０】
認証できた場合には、Ｗｅｂメールサーバ１００は、図１３に示すような入力用画面を端末Ａ１０に送信すると共に、利用者毎に設けられているサービス利用者電話帳ＤＢ１６０の電話帳リストを送信する。なお、当該電話帳リストは、利用者Ａが所望の宛先をクリックすることにより選択可能な形式で送信する。これにより、利用者Ａが当該電話帳から宛先をクリックすることにより、図１３に示す画面の所定の表示位置に設定される。さらに、当該利用者Ｂからの着信課金を有効にするための有効期限を指定して、利用者Ｂに対するメール本文と共にＷｅｂメールサーバ１００に送信する（ステップ１０２）。Ｗｅｂメールサーバ１００に送信される情報は、送信元（着信者）のメールアドレス、メール送信先（発信者）のメールアドレス、発信者の電話番号（ex：03−yyyy−yyyy）（無くても可）、本文、有効期限である。
【００６１】
Ｗｅｂメールサーバ１００は、端末Ａ１０から取得した情報に基づいて電子メールを作成する（ステップ１０３）。
【００６２】
Ｗｅｂメールサーバ１００は、送信元（端末Ａ）のメールアドレスでサービス利用者電話帳ＤＢ１６０を検索し、着信者電話番号を取得し、当該着信者電話番号を送信することでＣ２Ｄサーバ２００に当該メールに対するパスコードの発行を要求する（ステップ１０４）。Ｃ２Ｄサーバ２００は、パスコード生成部２５０においてパスコードを生成し、メモリ（図示せず）に格納すると共に、当該パスコードをＷｅｂメールサーバ１００に送信する（ステップ１０５）。
【００６３】
Ｗｅｂメールサーバ１００は、メール作成・制御部１２０において、端末Ｂの電話番号（発信者電話番号（ex：03−yyyy−yyyy）が無い場合は送信先メールアドレスに基づいて、サービス利用者電話帳ＤＢ１６０から検索して取得する）、端末Ａの電話番号（着信者電話番号（ex:03-xxxx-xxxx））、及びＣ２Ｄサーバ２００から取得したパスコードを組にしてＣ２Ｄサーバ２００に送信する（ステップ１０６）。
【００６４】
さらに、Ｗｅｂメールサーバ１００のメール作成・制御部１２０は、端末Ａ１０から取得した情報から宛先に対応する有効期限を抽出し、着信課金発着信者削除スケジュール記憶部１５０に登録する（ステップ１０７）。
【００６５】
Ｃ２Ｄサーバ２００は、登録・削除部２２０を介して、Ｗｅｂメールサーバ１００から取得した、パスコード、着信者電話番号（ex：03−xxxx-xxxx）と発信者電話番号（ex：03−yyyy−yyyy）の組を着信課金発着信者登録ＤＢ２6０に登録する（ステップ１０８）。
【００６６】
Ｗｅｂメールサーバ１００の送受信Ｉ／Ｆ１１０は、ステップ１０３で作成したメールに、ステップ１０５で取得したパスコードが含まれたＣ２Ｄサーバ２００のアドレス（ＵＲＬ）を付加し、端末Ｂ２０に送信する（ステップ１０９）。
【００６７】
利用者Ｂは、図１４に示すようなメールを確認し、端末Ｂ２０の画面に表示されているＣ２Ｄサーバ２００のＵＲＬ（図１４では、"こちら"の部分がリンクとして表示されている）をクリックすることにより、Ｃ２Ｄサーバ２００に対して発呼要求する（ステップ１１０）。
【００６８】
Ｃ２Ｄサーバ２００は、端末Ｂ２０からの発呼要求を受信すると、検索部２３０において、アクセスされたＵＲＬに含まれるパスコードに基づいて着信課金発着信者ＤＢ２６０を検索し（ステップ１１１）、当該パスコードに対応する発着信者電話番号（ex：03−xxxx-xxxxと03−yyyy−yyyy）を取得する。このとき、パスコードに対応する発着信者電話番号が登録されていない場合には、当該発呼要求は受付不可であることを端末Ｂ２０に応答するものとする。発着信者電話番号が検索できた場合には、呼処理装置３００に対して当該発着信者電話番号を送信することにより発呼要求する（ステップ１１２）。
【００６９】
呼処理装置３００は、Ｃ２Ｄサーバ２００から取得した発着信者電話番号（ex：03−xxxx-xxxxと03−yyyy−yyyy）に対して着呼通知する（ステップ１１３）。これにより、端末Ａと端末Ｂの間の通話が開始される（ステップ１１４）。通話の後、切断されると（ステップ１１５）、呼処理装置３００は、通話料金計算のため発着信者電話番号（ex：03−xxxx-xxxxと03−yyyy−yyyy）、通話時刻情報（通話開始時刻・通話終了時刻）をＣ２Ｄサーバ２００に通知する（ステップ１１6）。
【００７０】
Ｃ２Ｄサーバ２００は、登録・削除部２２０において、呼処理装置３００から受け取った情報を課金ＤＢ２７０に格納し（ステップ１１7）、課金部２３０が所定のタイミングで着信者電話番号（利用者Ｂ）に対する課金処理を行う（ステップ１１８）。
【００７１】
Ｗｅｂメールサーバ１００のメール作成・制御部１２０は、着信課金発着信者削除スケジュール記憶部１５０に登録されている有効期限が到来すると、送受信Ｉ／Ｆ１１０を介してＣ２Ｄサーバ２００に対して、パスコードを送信することにより発着信者電話番号の削除要求を送信する（ステップ１１９）。
【００７２】
Ｃ２Ｄサーバ２００は、電話番号削除要求を受信すると、登録・削除部２２０は、着信課金発着信者登録ＤＢ２６０から受信したパスコードに対応する発着信者電話番号のレコードを削除する（ステップ１２０）。
【００７３】
なお、上記の図１２において、ステップ１０４〜ステップ１０６において、Ｗｅｂメールサーバ１００がＣ２Ｄサーバ２００から受信したパスコードと、発着信者電話番号とを組にして、Ｃ２Ｄサーバ２００に登録しているが、この例に限定されることなく、以下のような手順も可能である。
【００７４】
Ｃ２Ｄサーバ２００がＷｅｂメールサーバ１００から発着信者電話番号を含むパスコードの取得要求が発行されると（ステップ１０４）、Ｃ２Ｄサーバ２００は、パスコード生成部２５０においてパスコードを生成すると共に、受信した発着信者電話番号とパスコードを組にして着信課金発着信者登録ＤＢ２６０に格納し（ステップ１０８'）、パスコードをＷｅｂメールサーバ１００に送信する（ステップ１０５'）。
【００７５】
これにより、端末Ｂ２０からパスコード含む発呼要求があった場合に（ステップ１１０）、Ｃ２Ｄサーバ２００は、着信課金発着信者登録ＤＢ２６０を参照して発着信者電話番号を取得し（ステップ１１１）、呼処理装置３００に発呼要求する（ステップ１１２）。
【００７６】
本発明は、メールを受信した電話の発信者が、メール作成時に指定した電話番号から発信することが可能である。また、操作性において、発信者は、メール本文のＣ２ＤサーバとＵＲＬとパスコードが埋め込まれたリンクをクリックするという簡易な操作のみでよい。さらに、本発明では、着信課金の有効期間を発信者毎に任意に設定することができ、一度有効期限を登録しておくことにより、当該有効期間が経過すれば自動的に削除することができる。
【００７７】
［第２の実施の形態］
上記の第１の実施の形態では、有効期限が到来した時点で、C2Dサーバ２００に対して、発着信者電話番号の削除要求を行う例を示したが、本実施の形態では、有効回数により削除要求を行う例を説明する。
【００７８】
まず、第１の実施の形態におけるＷｅｂメールサーバ１００に適用する例を説明する。
【００７９】
図１５は、本発明の第２の実施の形態におけるＷｅｂメールサーバの構成を示す。
【００８０】
同図に示すＷｅｂメールサーバ１００は、図５に示す着信課金発着信者削除スケジュール記憶部１５０の代わりに、図１６に示すような有効回数が設定された着信課金発着信者管理ＤＢ１５５を設け、呼処理装置３００から着信課金通話が終了する毎にカウントするためのカウンタ１７０を付加した構成である。
【００８１】
本実施の形態では、Ｗｅｂメールサーバ１００のカウンタ１７０において、呼処理装置３００から通話終了通知を取得する毎に、有効回数から１を引き、その残回数を着信課金発着信者管理ＤＢ１５５内の有効回数の欄に書き込み、残回数が０になった時点でC2Dサーバ２００に対して、発着信者電話番号の削除要求を送信する。なお、この方法はその一例であり、着信者から予め設定された有効回数と着信課金による通話の回数を比較して、当該有効回数以上の着信課金通話を制限する方法であればこれらの例に限定されるものではない。
【００８２】
上述のＷｅｂメールサーバ１００以外は、前述の第１の実施の形態と同様であるのでその説明を省略する。
【００８３】
［第３の実施の形態］
本実施の形態では着信側の端末に「着信課金ボタン」が具備されている端末（メールクライアント）において、着信課金を通知する内容を含むメールを作成し、発信者側の端末に送信する例を説明する。
【００８４】
図１７は、本発明の第３の実施の形態におけるメールサーバの構成を示す。
【００８５】
同図に示すメールサーバ４００は、送受信Ｉ／Ｆ４１０、認証部４２０、登録・削除制御部４３０、利用者ＤＢ４４０、着信課金発着信者削除スケジュール記憶部４５０、検索部４６０、サービス利用者電話帳ＤＢ４８０から構成される。
【００８６】
送受信Ｉ／Ｆ４１０と利用者ＤＢ４４０は、第１の実施の形態と同様である。
【００８７】
認証部４２０は、利用者ＤＢ４４０を参照して、端末の利用者を認証する。認証方法は第１の実施の形態と同様である。
【００８８】
登録・削除制御部４３０は、着信課金の着信側の端末Ａが発信側の端末Ｂに対してメールを送信後、端末Ａから送信された端末Ｂの情報を着信課金発着信者削除スケジュール記憶部４５０に登録する。また、着信課金発着信者削除スケジュール記憶部４５０を参照して、着信課金を許可された発信者の電話番号及び着信者電話番号をC2Dサーバ２００に登録する要求、及び、これらの電話番号を削除する要求を行う。
【００８９】
着信課金発着信者削除スケジュール記憶部４５０は、図１８に示すように、パスコード毎に各利用者毎に、発信者電話番号、着信課金電話番号、有効期限を管理する。
【００９０】
サービス利用者電話帳ＤＢ４８０は、図１９に示すように、表示名、メールアドレス、電話番号から構成される。
【００９１】
検索部４６０は、端末Ａにおいて、着信課金ボタンが押下された時点で、当該端末Ａに送信するデータを着信課金発着信者削除スケジュール記憶部４５０、サービス利用者電話帳ＤＢ４８０から検索して提供する。詳しくは、着信課金発着信者削除スケジュール記憶部４５０に登録するための電話番号は、端末Ａのメールアドレスに基づいて、サービス利用者電話帳ＤＢ４８０を検索し、対応する着信者電話番号を取得する。また、送信先のメールアドレスに基づいて同様の検索を行い、発信者電話番号を取得する。また、指定されたパスコードに基づいて、着信課金発着信者削除スケジュール記憶部４５０を検索して、対応する発信者電話番号と着信者電話番号及び、有効期限を取得する。
【００９２】
次に、上記の構成における動作を説明する。
【００９３】
図２０は、本発明の第３の実施の形態における動作のシーケンスチャートである。
【００９４】
着信者の端末Ａ３０において、課金ボタンを押下すると（ステップ２０１）、メールサーバ４００は、これをトリガとして、端末Ａのメールアドレスに基づいてサービス利用者電話帳ＤＢ４８０を検索し、着信者電話番号を取得する（ステップ２０２）。送受信Ｉ／Ｆ４１０を介して着信者電話番号をＣ２Ｄサーバ２００に送信することによりパスコードを取得する（ステップ２０３）。Ｃ２Ｄサーバ２００から取得したパスコードを端末Ａに送信する（ステップ２０４）。
【００９５】
端末Ａ３０は、端末Ｂ４０に送信するメールを作成する。ここで、メール本文のリンクに、予め保持しているＣ２Ｄサーバ２００のＵＲＬと取得したパスコードを埋め込む（ステップ２０５）。
【００９６】
作成した電子メールをメールサーバ４００を介して端末Ｂのメールアドレスに送信する（ステップ２０６）。
【００９７】
このときメールサーバ４００に送信されるメールには有効期限が含まれる。
【００９８】
メールサーバ４００は、端末Ａ３０からメール受信すると、送信先のメールアドレスに基づいてサービス利用者電話帳ＤＢ４８０を検索して発信者電話番号を取得し、端末Ａ３０の着信者電話番号と、有効期限、パスコードを組にして着信課金発着信者削除スケジュール記憶部４５０に登録する（ステップ２０７）。
【００９９】
メールサーバ４００は、発信者電話番号、着信者電話番号、パスコードをC2Dサーバ２００に送信する（ステップ２０８）。
【０１００】
C2Dサーバ２００は、発信者電話番号、着信者電話番号、パスコードを受信すると、メモリ（図示せず）ステップ２０３で送信したパスコード（＋着信者電話番号）と一致するかを判定し、一致している場合には、当該発信者電話番号、着信者電話番号を着信課金発着信者登録ＤＢ２６０に登録する（ステップ２０９）。
【０１０１】
端末Ａ３０からの電子メールを受信した端末Ｂ４０は、メールを確認し、メール本文中のリンクをクリックする（ステップ２１０）。リンクにはC2Dサーバ２００のＵＲＬとパスコードが設定されているため、パスコードが含まれるＵＲＬでC2Dサーバ２００に発呼要求する（ステップ２１１）。C2Dサーバ２００は、着信課金発着信者登録ＤＢ２６０から当該パスコードに一致する発信者電話番号と着信者電話番号の組（発着信者電話番号）を取得し、これを発呼要求として呼処理装置３００に送信する（ステップ２１２）。
【０１０２】
呼処理装置３００は、発着信者電話番号に基づいて端末Ａ３０と端末Ｂ４０に着呼通知を送信し（ステップ２１３）、これにより端末Ａ３０と端末Ｂ４０の利用者が電話通話を行う（ステップ２１４）。通話が終了すると（ステップ２１５）、呼処理装置３００は、通話開始／終了時刻、通話時間をC2Dサーバ２００に通知する（ステップ２１６）。
【０１０３】
C2Dサーバ２００は上記の通話時間情報を課金ＤＢ２７０に格納し（ステップ２１７）、任意のタイミングで着信者に対する課金処理を行う（ステップ２１８）。
【０１０４】
メールサーバ４００は、着信課金発着信者削除スケジュール記憶部４５０の有効期限を任意のタイミングで参照し、有効期限が到来しているレコードがあれば（ステップ２１９）、パスコードを指定して、C2Dサーバ２００に対して削除要求を送信する（ステップ２２０）。これにより、C2Dサーバ２００は、着信課金発着信者登録ＤＢ２６０からパスコードに該当する発着信電話番号を削除する（ステップ２２１）。
【０１０５】
［第４の実施の形態］
次に、上記の第３の実施の形態に、有効回数による削除要求を行う例を説明する。
【０１０６】
図２１は、本発明の第４の実施の形態におけるメールサーバの構成を示す。
【０１０７】
同図に示すメールサーバ４００は、図１７の構成にカウンタ部４７０を設け、有効期限の代わりに、図２２に示すような有効回数を設定した着信課金発着信者削除スケジュール記憶部４５５を用いる。
【０１０８】
当該メールサーバ４００は、図２０のシーケンスチャートのステップ２１５の処理と同時に、呼処理装置３００から通話終了通知を取得し、カウンタ部４７０において、有効回数から１を引き、残回数を着信課金発着信者削除スケジュール記憶部４５５の有効回数の欄に書き込み、残回数が０になった時点でC2Dサーバ２００に発着信電話番号の削除を要求する。なお、この方法はその一例であり、着信者から予め設定された有効回数と着信課金による通話の回数を比較して、当該有効回数以上の着信課金通話を制限する方法であればこれらの例に限定されるものではない。
【０１０９】
なお、上記の図５に示すＷｅｂメールサーバ、図９に示すＣ２Ｄサーバの各構成要素の動作、図１５、図１７、図２１に示すメールサーバ、及び呼処理装置の動作をそれぞれプログラムとして構築することにより、それぞれのサーバとして利用されるコンピュータにインストールして実行させる、または、ネットワークを介して流通させることが可能である。
【０１１０】
上述のメールサーバ４００以外は、前述の第３の実施の形態と同様であるのでその説明を省略する。
【０１１１】
また、構築されたプログラムをハードディスクや、フレキシブルディスク・ＣＤ−ＲＯＭ等の可搬記憶媒体に格納しておき、本発明を実施する際に、コンピュータにインストールする、または、配布することが可能である。
【０１１２】
なお、本発明は、上記の実施の形態に限定されることなく、特許請求の範囲内において種々変更・応用が可能である。
【産業上の利用可能性】
【０１１３】
本発明は、Ｃ２Ｄサーバを有するシステムにおける、Ｗｅｂブラウザ機能及び電話機能を有する端末及び、一般のＰＣと電話機の組み合わせによるシステムにおいて着信課金を行う技術に適用可能である。
【図面の簡単な説明】
【０１１４】
【図１】本発明の原理構成図である。
【図２】本発明の原理を説明するための図である。
【図３】本発明の第１の実施の形態における動作の概要を説明するための図である。
【図４】本発明の第１の実施の形態におけるシステム構成図である。
【図５】本発明の第１の実施の形態におけるＷｅｂメールサーバの構成図である。
【図６】本発明の第１の実施の形態における利用者ＤＢのデータ例である。
【図７】本発明の第１の実施の形態における着信課金発着信者削除スケジュール記憶部のデータ例である。
【図８】本発明の第１の実施の形態におけるサービス利用者電話帳ＤＢのデータ例である。
【図９】本発明の第１の実施の形態におけるＣ２Ｄサーバの構成図である。
【図１０】本発明の第１の実施の形態における着信課金発着信者登録ＤＢのデータ例である。
【図１１】本発明の第１の実施の形態における課金ＤＢのデータ例である。
【図１２】本発明の第１の実施の形態における動作のシーケンスチャートである。
【図１３】本発明の第１の実施の形態における着信者側の利用者に提示されるメール作成イメージである。
【図１４】本発明の第１の実施の形態における受信メールイメージである。
【図１５】本発明の第２の実施の形態におけるＷｅｂメールサーバの構成図である。
【図１６】本発明の第２の実施の形態における着信課金発着信者削除記憶部のデータ例である。
【図１７】本発明の第３の実施の形態におけるメールサーバの構成図である。
【図１８】本発明の第３の実施の形態における着信課金発着信者削除スケジュール記憶部の例である。
【図１９】本発明の第３の実施の形態におけるサービス利用者電話帳ＤＢのデータ例である。
【図２０】本発明の第３の実施の形態における動作のシーケンスチャートである。
【図２１】本発明の第４の実施の形態におけるメールサーバの構成図である。
【図２２】本発明の第４の実施の形態における着信課金発着信者削除スケジュール記憶部の例である。
【符号の説明】
【０１１５】
１０  着信者端末
２０  発信者端末
１００  Ｗｅｂメールサーバ
１１０  送受信インタフェース
１２０  メール作成・制御部
１２２  電子メール作成手段
１２３  削除スケジュール登録手段
１２４  メール送信手段
１３０  登録・削除部
１３１  電話番号登録手段
１３２  発着信者削除要求手段
１４０  利用者ＤＢ
１５０  着信課金発着信者削除スケジュール記憶手段、着信課金発着信者削除スケジュール記憶部
１６０  サービス利用者電話帳ＤＢ
１７０  カウンタ部
２００  Ｃ２Ｄサーバ
２１０  発呼要求手段、インタフェース
２２０  着信課金発着信者制御手段、登録・削除部
２３０  検索手段、検索部
２４０  課金手段、課金部
２５０  パスコード生成手段、パスコード生成部
２６０  着信課金発着信者記憶手段、着信課金発着信者登録ＤＢ
２７０  課金ＤＢ
３００  呼処理装置
４００  メールサーバ
４１０  送受信インタフェース
４２０  認証部
４３０  登録削除制御部
４４０  利用者ＤＢ
４５０  着信課金発着信者削除スケジュール記憶部
４５５  着信課金発着信者削除スケジュール記憶部
４６０  検索部
４７０  カウンタ部
【図１】
0004931896.tif 000002
【図２】
0004931896.tif 000003
【図３】
0004931896.tif 000004
【図４】
0004931896.tif 000005
【図５】
0004931896.tif 000006
【図６】
0004931896.tif 000007
【図７】
0004931896.tif 000008
【図８】
0004931896.tif 000009
【図９】
0004931896.tif 000010
【図１０】
0004931896.tif 000011
【図１１】
0004931896.tif 000012
【図１２】
0004931896.tif 000013
【図１３】
0004931896.tif 000014
【図１４】
0004931896.tif 000015
【図１５】
0004931896.tif 000016
【図１６】
0004931896.tif 000017
【図１７】
0004931896.tif 000018
【図１８】
0004931896.tif 000019
【図１９】
0004931896.tif 000020
【図２０】
0004931896.tif 000021
【図２１】
0004931896.tif 000022
【図２２】
0004931896.tif 000023